【手続補正書】
【提出日】平成29年2月16日(2017.2.16)
【手続補正１】
【補正対象書類名】特許請求の範囲
【補正対象項目名】全文
【補正方法】変更
【補正の内容】
【特許請求の範囲】
【請求項１】
測定ID（measurement  identity）の更新方法であって、
端末装置が、接続再構成又は接続再確立を実行した後に、予め保存されている測定構成変数に含まれている測定IDリスト中の各測定IDをチェックし；及び
前記測定IDに関連付けられている報告構成が前記端末装置のセコンダリセル組（group）におけるサービングセルの所在する周波数に関する測定イベントを含み、且つ、前記測定イベントにおいて比較を行うための前記サービングセルが構成されない場合、前記端末装置は前記測定IDを前記測定構成変数から削除することを含み、
前記端末装置のセコンダリセル組におけるサービングセルの所在する周波数に関する測定イベントは、
前記サービングセルの隣接セルの測定結果がプライマリ・セコンダリセルの測定結果と所定オフセットとの和よりも良いこと；又は
前記サービングセルの隣接セルの測定結果が第一閾値よりも良く、且つ、プライマリ・セコンダリセルの測定結果が第二閾値よりも悪いことである、更新方法。
【請求項２】
請求項1に記載の更新方法であって、
予め保存されている測定報告リスト変数には前記測定IDに対応する測定報告の記録が含まれている場合、前記更新方法は、
前記端末装置は前記測定IDに対応する測定報告の記録を予め保存されている測定報告リスト変数から削除することをさらに含む、更新方法。
【請求項３】
請求項1に記載の更新方法であって、
前記測定IDに対応するタイマーが作動している場合、前記更新方法は、
作動している、前記測定IDに対応するタイマーをストップさせ、前記測定IDに関する情報をリセットすることをさらに含む、更新方法。
【請求項４】
請求項1に記載の更新方法であって、
前記端末装置のセコンダリセル組におけるサービングセルの所在する周波数に関する測定イベントは、
前記サービングセルの測定結果が第三閾値よりも良いこと；又は
前記サービングセルの測定結果が第四閾値よりも悪いことである、更新方法。
【請求項５】
請求項1に記載の更新方法であって、
前記測定イベントをトリガーするサービングセルが測定目標により指示される周波数にあり、前記測定目標により指示される周波数は、
前記端末装置のセコンダリセル組又はセコンダリ基地局におけるサービングセルが所在する、プライマリ・セコンダリセルが所在する周波数以外の周波数；
前記端末装置のセコンダリセル組又はセコンダリ基地局におけるサービングセルが所在する周波数；
前記端末のプライマリセル組又はプライマリ基地局におけるサービングセルが所在する周波数；
前記端末装置の、プライマリセルが所在する周波数と異なる周波数；
前記端末装置の、プライマリ・セコンダリセルが所在する周波数と異なる周波数；又は
前記端末装置の、プライマリセル及びプライマリ・セコンダリセルが所在する周波数と異なる周波数を含む、更新方法。
【請求項６】
請求項1に記載の更新方法であって、
前記端末装置は、デュアルコネクティビティアーキテクチャ（dual  connectivity  architecture）下で接続再構成又は接続再確立を実行する、更新方法。
【請求項７】
請求項6に記載の更新方法であって、
前記接続再構成を実行した後に、
前記端末装置のプライマリセルが変わらないが、セコンダリ基地局が変わっており；
前記端末装置のプライマリセルが変わらず、セコンダリ基地局も変わらないが、プライマリ・セコンダリセルが変わっており；
前記端末装置のプライマリセル及びプライマリ・セコンダリセルが全て変わらないが、普通のセコンダリセルが変わっており；
前記端末装置のプライマリセルが変わらないが、デュアルコネクティビティアーキテクチャがもう存在せず；又は
前記端末装置のプライマリセルが変わっている、更新方法。
【請求項８】
請求項6に記載の更新方法であって、
前記接続再確立を実行した後に、前記端末装置は、１つのみのサービングセル、即ち、プライマリセルを有する、更新方法。
【請求項９】
端末装置に用いられる測定ID（measurement  identity）の更新装置であって、
前記端末装置が接続再構成又は接続再確立を実行した後に、予め保存されている測定構成変数に含まれている測定IDリスト中の各測定IDをチェックするチェックユニット；及び
前記測定IDに関連付けられている報告構成が前記端末装置のセコンダリセル組（group）におけるサービングセルの所在する周波数に関する測定イベントを含み、且つ、前記測定イベントにおいて比較を行うための前記サービングセルが構成されない場合、前記測定IDを前記測定構成変数から削除する処理ユニットを含み、
前記端末装置のセコンダリセル組におけるサービングセルの所在する周波数に関する測定イベントは、
前記サービングセルの隣接セルの測定結果がプライマリ・セコンダリセルの測定結果と所定オフセットとの和よりも良いこと；又は
前記サービングセルの隣接セルの測定結果が第一閾値よりも良く、且つ、プライマリ・セコンダリセルの測定結果が第二閾値よりも悪いことである、更新装置。
【請求項１０】
請求項9に記載の更新装置であって、
前記処理ユニットは、さらに、
予め保存されている測定報告リスト変数には前記測定IDに対応する測定報告の記録が含まれている場合、前記測定IDに対応する測定報告の記録を予め保存されている測定報告リスト変数から削除するように構成される、更新装置。
【請求項１１】
請求項9に記載の更新装置であって、
前記処理ユニットは、さらに、
前記測定IDに対応するタイマーが作動している場合、前記タイマーをストップさせ、前記測定IDに関する情報をリセットするように構成される、更新装置。
【請求項１２】
請求項9に記載の更新装置であって、
前記端末装置のセコンダリセル組におけるサービングセルの所在する周波数に関する測定イベントは、
前記サービングセルの測定結果が第三閾値よりも良いこと；又は
前記サービングセルの測定結果が第四閾値よりも悪いことである、更新装置。
【請求項１３】
請求項9に記載の更新装置であって、
前記測定イベントをトリガーするサービングセルが測定目標により指示される周波数にあり、前記測定目標により指示される周波数は、
前記端末装置のセコンダリセル組又はセコンダリ基地局におけるサービングセルが所在する、プライマリ・セコンダリセルが所在する周波数以外の周波数；
前記端末装置のセコンダリセル組又はセコンダリ基地局におけるサービングセルが所在する周波数；
前記端末のプライマリセル組又はプライマリ基地局におけるサービングセルが所在する周波数；
前記端末装置の、プライマリセルが所在する周波数と異なる周波数；
前記端末装置の、プライマリ・セコンダリセルが所在する周波数と異なる周波数；又は
前記端末装置の、プライマリセル及びプライマリ・セコンダリセルが所在する周波数と異なる周波数を含む、更新装置。
【請求項１４】
請求項9に記載の更新装置であって、
前記端末装置は、デュアルコネクティビティアーキテクチャ（dual  connectivity  architecture）下で接続再構成又は接続再確立を実行する、更新装置。
【請求項１５】
請求項14に記載の更新装置であって、
前記接続再構成を実行した後に、
前記端末装置のプライマリセルが変わらないが、セコンダリ基地局が変わっており；
前記端末装置のプライマリセルが変わらず、セコンダリ基地局も変わらないが、プライマリ・セコンダリセルが変わっており；
前記端末装置のプライマリセル及びプライマリ・セコンダリセルが全て変わらないが、普通のセコンダリセルが変わっており；
前記端末装置のプライマリセルが変わらないが、デュアルコネクティビティアーキテクチャがもう存在せず；又は
前記端末装置のプライマリセルが変わっている、更新装置。
【請求項１６】
請求項14に記載の更新装置であって、
前記接続再確立を実行した後に、前記端末装置は、１つのみのサービングセル、即ち、プライマリセルを有する、更新装置。
【請求項１７】
基地局及び端末装置を含む通信システムであって、
前記端末装置は、
接続再構成又は接続再確立を実行した後に、予め保存されている測定構成変数に含まれている測定IDリスト中の各測定IDをチェックし；及び
前記測定IDに関連付けられている報告構成が前記端末装置のセコンダリセル組におけるサービングセルの所在する周波数に関する測定イベントを含み、且つ、前記測定イベントにおいて比較を行うための前記サービングセルが構成されない場合、前記測定IDを前記測定構成変数から削除するように構成され、
前記端末装置のセコンダリセル組におけるサービングセルの所在する周波数に関する測定イベントは、
前記サービングセルの隣接セルの測定結果がプライマリ・セコンダリセルの測定結果と所定オフセットとの和よりも良いこと；又は
前記サービングセルの隣接セルの測定結果が第一閾値よりも良く、且つ、プライマリ・セコンダリセルの測定結果が第二閾値よりも悪いことである、通信システム。
【請求項１８】
請求項17に記載の通信システムであって、
前記端末装置は、さらに、
予め保存されている測定報告リスト変数には前記測定IDに対応する測定報告の記録が含まれている場合、前記測定IDに対応する測定報告の記録を予め保存されている測定報告リスト変数から削除するように構成される、通信システム。
【請求項１９】
請求項17に記載の通信システムであって、
前記端末装置は、さらに、
前記測定IDに対応するタイマーが作動している場合、前記タイマーをストップさせ、前記測定IDに関する情報をリセットするように構成される、通信システム。
【請求項２０】
請求項17に記載の通信システムであって、
前記端末装置は、さらに、
デュアルコネクティビティアーキテクチャ下で接続再構成又は接続再確立を実行するように構成される、通信システム。